(57)【要約】【課題】平滑な場所であれば何処にでも貼り剥しが可能であって、劣化しにくい表示プレートを、安価に提供する。【解決手段】請求項１記載の表示プレートは、上から掲示シート１・アクリル発泡シート４を重合及び粘着させて成り、アクリル発泡シート４の吸盤機能を活用して表示場所に貼り付ける。  請求項２記載の表示プレートは、上から掲示シート１・中間シート３・アクリル発泡シート４を重合及び粘着させて成り、中間シート３の厚さにより表示プレート全体の厚さを調整し、アクリル発泡シート４の吸盤機能を活用して表示場所に貼り付ける。  磁石を使用した表示プレートと比較して安価で軽く、使用できる場所の範囲が広がる。また、粘着剤を使用した表示プレートと比較しても、素材劣化や機能劣化が生じにくく、剥がした後の糊残りが起こらない。【選択図】図３
0003211636.tif 000002
【実用新案登録請求の範囲】
【請求項１】
磁石又は粘着剤を使用せずに繰り返し貼り剥しができる表示プレートであって、上から、掲示シート・アクリル発泡シートを重合及び粘着させて成り、前記アクリル発泡シートの吸着機能を活用して表示場所に貼り付けることを特徴とする表示プレート。
【請求項２】
磁石又は粘着剤を使用せずに繰り返し貼り剥しができる表示プレートであって、上から、掲示シート・中間シート・アクリル発泡シートを重合及び粘着させて成り、前記アクリル発泡シートの吸着機能を活用して表示場所に貼り付けることを特徴とする表示プレート。
【考案の詳細な説明】
【技術分野】
【０００１】
本考案は、文字・数字・図柄などを、磁石や粘着剤を使用せずに、壁やテーブルに繰り返し貼り剥しができる表示プレートに関する。
【背景技術】
【０００２】
何度も繰り返し貼り替えることが可能な表示プレートは、磁石を使用する方法が知られている。また、付箋のように、繰り返し貼り剥しのできる再粘着再剥離糊を使用する方法もある。
【考案の概要】
【考案が解決しようとする課題】
【０００３】
磁石を使用した表示プレートは、貼り合わせる材質がスチールに限られる。また、磁石は劣化しにくく耐久性に優れるが、重くて簡単にカットできないため、扱いにくい。また、価格も高価である。
【０００４】
再粘着再剥離糊を使用したものは、繰り返し貼り剥しを行うと機能劣化が起こりやすく、貼り剥しできる回数が少ない。また、使用条件によって糊残りをおこしやすい。
【０００５】
上述の問題に鑑み、本考案においては、平滑な場所であれば何処にでも貼り剥しが可能であって、劣化しにくい表示プレートを、安価に提供することを課題とする。
【課題を解決するための手段】
【０００６】
上記課題を解決するために、請求項１記載の表示プレートは、上から掲示シート・アクリル発泡シートを重合及び粘着させて成り、前記アクリル発泡シートの吸盤機能を活用して表示場所に貼り付けることを特徴とする。
【０００７】
請求項２記載の表示プレートは、上から掲示シート・中間シート・アクリル発泡シートを重合及び粘着させて成り、前記中間シートの厚さにより前記表示プレートの厚さを調整し、前記アクリル発泡シートの吸盤機能を活用して表示場所に貼り付けることを特徴とする。
【考案の効果】
【０００８】
本考案に係る表示プレートを使用することにより、スチール製でない樹脂製や紙製の板や壁などにも貼ることができるため、使用できる場所の範囲が広がる。また、磁石を使用した表示プレートと比べて軽いうえ、安価に入手することができる。
【０００９】
粘着剤を使用した表示プレートのように機能劣化が生じにくく、剥がした後の糊残りが起こらない。また、アクリル発泡シートの吸盤機能を活用しているため、繰り返し貼り剥しを行っても素材劣化が生じにくい。
【図面の簡単な説明】
【００１０】
【図１】実施形態１の表示プレートの構成を示す斜視図である。
【図２】実施形態１の表示プレートの構成を示す拡大縦断面図である。
【図３】実施形態２の表示プレートの構成を示す斜視図である。
【図４】実施形態２の表示プレートの構成を示す拡大縦断面図である。
【図５】実施形態１又は２の表示プレートの使用例を示す写真である。
【考案を実施するための形態】
【００１１】
実施形態１は請求項１記載の表示プレートであり、実施形態２は請求項２記載の表示プレートである。各実施形態について図を用いて説明する。
【００１２】
本考案に係る表示プレートは印刷等が施された掲示シートを平滑な場所に貼り付けて表示するためのものである。図５の写真は使用例の一つを示す。数字が印刷された複数の掲示シートを壁などに貼り付けて、イベントの開始時刻や待ち時間等を表示するものである。料理用のタイマーとして冷蔵庫の表面等に貼り付けるといった使用法が考えられる。
【００１３】
（実施形態１）
実施形態１の表示プレートは、図１及び２に示すように、掲示シート１とアクリル発泡シート４とを両面粘着シート２を介して一体化し、アクリル発泡シート４の吸着機能を活用して表示場所に貼り付ける構成をとる。アクリル発泡シート４の吸着機能は、表面に多数形成された微細の独立発泡４１（図２）内の空気が圧着時に押し出され、真空状態となることによって発現する。
【００１４】
本実施形態においては、表示プレートの厚さはアクリル発泡シート４の厚さを選択することにより調整可能する。プレートを貼りつける平滑面に多少の凹凸がある場合には、薄いアクリル発泡シート４を使用すると、比較的よく貼りつく。一方で、薄い表示プレートは剥す時に難儀するため、頻繁に貼り剥しを行う場合には、比較的厚いアクリル発泡シート４を使用するといった選択が可能となる。
【００１５】
（実施形態２）
実施形態２の表示プレートは、図３及び４に示すように、掲示シート１とアクリル発泡シート４の間に中間シート３を配置し、掲示シート１と中間シート３を両面粘着シート２によって、また、中間シート３とアクリル発泡シート４を別の両面粘着シート２によって接着する構成をとる。
【００１６】
実施形態１では、厚さが異なるアクリル発泡シート４を選択することでプレート全体の厚さを調整したが、本実施形態においては、表示プレートの厚さは中間シート３の厚さを選択することにより調整する。低コスト性を考慮し、薄いアクリル発泡シート４を用いつつ表示プレート全体の厚さを大きくしたいときに用いる。すなわち、掲示シート１とアクリル発泡シート４の間に安価な中間シート３を配置することにより、アクリル発泡シート４を安価な薄いものとした場合でも、表示プレート全体を厚くすることが可能となる。
【００１７】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、プレートを構成する各シートの材質は任意であって、掲示シート１は印刷でも手書きでもレリーフ等の立体物でも構わない。また、アクリル発泡シート４及び中間シート３の厚さは、コストと使い勝手を考慮し自由に調整することが可能である。さらに、各シート同士の粘着方法についても、両面粘着シート２以外の方法も可能である。これら諸々の形態の実施についても、本考案の技術的範囲に含まれるものと解する。
【符号の説明】
【００１８】
１    掲示シート
２    両面粘着シート
３    中間シート
４    アクリル発泡シート
４１  独立発泡
【図１】
0003211636.tif 000003
【図２】
0003211636.tif 000004
【図３】
0003211636.tif 000005
【図４】
0003211636.tif 000006
【図５】
0003211636.tif 000007